(57)【要約】【課題】短時間で、少ない労力で、経済的に、安全に薪を乾燥する人工薪乾燥器を設置した薪ストーブを提供する。【解決手段】内部に被乾燥薪Ｍ２を有する薪乾燥器３を薪燃焼ガスＧ２が流れるダクト４に接するように設置し、薪燃焼ガスＧ２の熱を利用して被乾燥薪Ｍ２を間接加熱によって乾燥する。薪乾燥器３の器内温度は、短時間で乾燥するため１００℃以上にし、発火しないように被乾燥薪Ｍ２の発火温度の２５０℃以下にするため、薪燃焼ガスＧ１と室内の空気Ａ２の熱交換器２を設置して、高温の薪燃焼ガスＧ１を冷却する。【選択図】図１
0003209488.tif 000002
【実用新案登録請求の範囲】
【請求項１】
薪を燃焼する燃焼室を有し、この燃焼室で発生した薪燃焼ガスと室内空気が熱交換する熱交換器を有し、内部に被乾燥薪が投入される薪乾燥器を有し、この薪乾燥器を前記熱交換器を出た薪燃焼ガスが流れるダクトに接するように設置し、前記薪乾燥器の内部温度が１００℃以上で２５０℃以下であることを特徴とする薪乾燥器を設置した薪ストーブ。
【請求項２】
薪を燃焼する燃焼室を有し、内部に平状又は波形の仕切り板が設置され、この仕切り板で分離された一方の空間には被乾燥薪が投入され、他方の空間には管内を空気が流れ、管外を前記薪の燃焼ガスが流れる伝熱管が設置された薪乾燥器を有し、この薪乾燥器の前記被乾燥薪が投入される空間の温度が１００℃以上で２５０℃以下であることを特徴とする薪乾燥器を設置した薪ストーブ。
【考案の詳細な説明】
【技術分野】
【０００１】本考案は、薪ストーブの機器構成に関する。
【背景技術】
【０００２】伐採直後の薪は、含水率（＝水分重量／木質重量）が９０％から１２０％と高い。この含水率が高い薪を燃焼すると、薪に含まれている水が水蒸気になるときの気化熱を燃焼熱から奪うので、燃焼温度が低下し、煤煙を発生する問題を発生させる。【０００３】このため、薪ストーブの薪には、含水率を２０％以下にすることが求められている。この含水率が２０％以下の薪は、一般的に、１年から２年の間、伐採した薪を屋外に設置された薪棚において自然乾燥することによって作られている。【０００４】しかしながら、含水率２０％以下の薪を自然乾燥によって作るには、１年から２年の間、雨に触れないように管理する必要があり、このため、長い時間、多くの経費及び労力がかかる問題があった。
【考案の概要】
【考案が解決しようとする課題】
【０００５】本考案が解決しようとする課題は、安全性を損なうことなく、乾燥時間が短く、多くの労力を必要としない薪乾燥器を設置する薪ストーブを提供することにある。
【課題を解決するための手段】
【０００６】この乾燥時間が短く及び多くの労力を必要としない薪乾燥器を設置する薪ストーブを提供する課題は、自然乾燥に代わって、薪ストーブの薪燃焼ガスを加熱熱源に使用し、１００℃以上の雰囲気で加熱乾燥する薪乾燥器を設置することにより解決される。【０００７】薪の雰囲気温度を１００℃以上にすると、薪に含まれる水が水蒸気として放出されるので乾燥速度が大きく、乾燥時間を短くすることができる。【０００８】このとき、薪が乾燥中に発火しないように、薪雰囲気温度は薪の発火点以下することが必要になる。薪には各種広葉樹や各種針葉樹が用いられ、これら薪の発火点は２５０℃から４７０℃である。薪の発火点は使用する薪によって異なるが、薪の雰囲気温度が２５０℃を超えないようにすると、薪の発火を防止することができ、安全性を損なうことなく薪を乾燥することが可能になる。
【考案の効果】
【０００９】本考案によって、短時間で、少ない労力で、安全性を損なうことのない薪乾燥器を設置した薪ストーブを提供する効果が得られる。
【図面の簡単な説明】
【００１０】
【図１】第１の本考案の一実施例になる薪乾燥器を設置した薪ストーブを示す概略図である。（実施例１）
【図２】第２の本考案の一実施例になる薪乾燥器を設置した薪ストーブを示す概略図である。（実施例２）
【図３】第３の本考案の一実施例になる薪乾燥器を設置した薪ストーブを示す概略図である。（実施例３）
【考案を実施するための形態】
【実施例１】
【００１１】本考案の実施例１による薪乾燥器を設置した薪ストーブは、図１に示すように、主に、燃焼室１、熱交換器２、薪乾燥器３、ダクト４から構成される。燃焼室１では、投入された薪Ｍ１が供給される空気Ａ１によって燃焼し、薪燃焼ガスＧ１が排出される。薪Ｍ１を燃焼したときの薪燃焼ガスＧ１の温度は、一般的に、５００℃から８００℃である。【００１２】熱交換器２では、５００℃から８００℃の薪燃焼ガスＧ１と約２５℃の室内の空気Ａ２が熱交換し、冷却される薪燃焼ガスＧ１は１５０℃から３００℃まで温度低下した薪燃焼ガスＧ２になり、加熱される室内空気Ａ２は５０℃から１００℃まで温度上昇した空気Ａ３になり、排出される。【００１３】薪乾燥器３は薪燃焼ガスＧ２が流れるダクト４に接して設置され、内部の被乾燥薪Ｍ２はダクト４内を流れる１５０℃から３００℃の薪燃焼ガスＧ２によって加熱され、含んでいる水分を水蒸気にして排出して、乾燥した薪になる。発生した水蒸気は、薪乾燥器３から室内に排出される。ダクト４に導入された１５０℃から３００℃の薪燃焼ガスＧ２は、熱を奪われ、１００℃から１５０℃の温度が低下した薪燃焼ガスＧ３になる。【００１４】入口の薪燃焼ガスＧ２の温度が１５０℃から３００℃に、出口の薪燃焼ガスＧ３の温度が１００℃から１５０℃にすることにより、被乾燥薪Ｍ２を有する薪乾燥器３の内部温度を１００℃以上で２５０℃以下に保つことが容易に可能になる。【００１５】本考案の実施例１による薪乾燥器３を設置した薪ストーブにおいて、断面積が１００平方センチメートルで、長さが４０センチメートルで、含水率が１１０％の杉材の被乾燥薪Ｍ２を薪乾燥器３内で乾燥させたところ、４時間後において、この被乾燥薪Ｍ２の含水率は２０％以下になった。【００１６】このときの薪乾燥器３内の平均温度は１３０℃であり、薪乾燥中の室内平均温度は、２５℃であった。
【実施例２】
【００１７】本考案の実施例２による薪乾燥器を設置した薪ストーブは、図２に示すように、主に、燃焼室１、熱交換器２、薪乾燥器５から構成される。燃焼室１では、投入された薪Ｍ１が供給される空気Ａ１によって燃焼し、５００℃から８００℃の薪燃焼ガスＧ１が排出される。【００１８】熱交換器２では、この５００℃から８００℃の薪燃焼ガスＧ１と約２５℃の室内の空気Ａ２が供給されて熱交換し、冷却される薪燃焼ガスＧ１は１５０℃から３００℃の温度低下した燃焼ガスＧ２となり、加熱される空気Ａ２は５０℃から１００℃の温度上昇した空気Ａ３となり、排出される。【００１９】薪乾燥器５では、内部に平状又は波形状の仕切り板６が設置されており、この仕切り板６で仕切られた一方の空間には被乾燥薪Ｍ２が投入され、他方の空間には前記燃焼ガスＧ２が流入される。この薪乾燥器５内の被乾燥薪Ｍ２は、仕切り板５を介して他方の空間を流れる１５０℃から３００℃になった薪燃焼ガスＧ２によって加熱され、含んでいた水分を水蒸気にして排出し、乾燥した薪になる。発生した水蒸気は、薪乾燥器５から室内に排出される。このとき、薪乾燥器５の導入された１５０℃から３００℃の薪燃焼ガスＧ２は、熱を奪われ、１００℃から１５０℃に温度低下した薪燃焼ガスＧ４になる。【００２０】薪乾燥器５入口の薪燃焼ガスＧ２の温度が１５０℃から３００℃であり、出口の薪燃焼ガスＧ４の温度が１０℃から１５０℃にすることにより、被乾燥薪Ｍ２を有する空間温度を１００℃以上で２５０℃以下に保つことが容易に可能になる。【００２１】本考案の実施例２による薪乾燥器５を設置した薪ストーブにおいても、伐採直後で、断面積が約１００平方センチメートルで、長さが約４０センチメートルで、含水率が１１０％の杉材の被乾燥薪Ｍ２を薪乾燥器５内で乾燥させたところ、４時間後において、この杉材の被乾燥薪Ｍ２の含水率は２０％以下になった。
【実施例３】
【００２２】本考案の実施例３による薪乾燥器を設置した薪ストーブは、図３に示すように、主に、燃焼室１、薪乾燥器７から構成される。燃焼室１では、投入された薪Ｍ１が供給される空気Ａ１によって燃焼し、５００℃から８００℃の薪燃焼ガスＧ５が排出される。【００２３】薪乾燥器７では、内部に平状又は波形状の仕切り板８が設置され、この仕切り板８で仕切られた一方の空間には被乾燥薪Ｍ３が投入され、他方の空間には伝熱管９が設置される。この伝熱管９の内部には約２５℃の室内の空気Ａ４が流れ、外部には前記５００℃から８００℃の燃焼ガスＧ５が流れる。【００２４】この薪乾燥器７内の伝熱管９が設置されている空間おいては、薪燃焼ガスＧ５は、伝熱管９の表面を介して空気Ａ４と熱交換し、及び、仕切り板８を介して被乾燥薪Ｍ２が投入されている空間と熱交換する。この熱交換によって、薪燃焼ガスＧ５は１００℃から１５０℃の温度が低下した薪燃焼ガスＧ６になり、空気Ａ４は５０℃から１００℃の空気Ａ５になる。【００２５】薪乾燥器７内の被乾燥薪Ｍ３は、仕切り板８を介した薪燃焼ガスからの加熱によって、含んでいた水分を水蒸気にして排出し、乾燥した薪になる。被乾燥薪Ｍ３から発生した水蒸気は、室内に排出される。【００２６】被乾燥薪Ｍ３が薪乾燥器７内で発火しないように薪燃焼ガスの温度を低下させるため、空気Ａ４の流量は実施例１及び実施例２における空気Ａ２の流用よりも増加する及び伝熱管９の伝熱面積を十分多くする。【００２７】本考案の実施例３においては、熱交換器が無くなるので、本考案の実施例１及び２よりコンパクトな薪乾燥器を設置した薪ストーブを提供できるメリットが得られる。
【符号の説明】
【００２８】１  燃焼室
２  熱交換器
３、５、７  薪乾燥器
４  ダクト
６、８  仕切り板
９  伝熱管
Ａ１、Ａ２、Ａ３、Ａ４、Ａ５  空気
Ｇ１、Ｇ２、Ｇ３、Ｇ４、Ｇ６、Ｇ６  薪燃焼ガス
Ｍ１  薪
Ｍ２、Ｍ３  被乾燥薪
【図１】
0003209488.tif 000003
【図２】
0003209488.tif 000004
【図３】
0003209488.tif 000005